(57)【特許請求の範囲】
【請求項１】
シャフト挿通用スリーブを有する複数枚の羽根と、前記複数枚の羽根のスリーブに抜脱可能に挿入されたシャフトとからなる蝶番において、
前記シャフトは、前記スリーブから延出する両端部に前記スリーブからの抜け止め手段を有し、
前記両端部のうちの少なくとも一端部の抜け止め手段は前記シャフトを径方向において貫通する透孔と、前記透孔に抜脱可能に挿入された前記シャフトの径よりも長いストッパーピンとからなり、
前記ストッパーピンは前記透孔の一方の端部から前記シャフトの径方向外方へ延びる前方部分と、もう一方の端部から前記シャフトの径方向外方へ延びる後方部分とを有し、前記前方部分には、前記ストッパーピンを横断する長さと前記ストッパーピンの長さ方向へ延びる深さとを有する溝が形成されており、前記溝ではその深さ方向中央付近において前記溝をまたぐ支軸により前記透孔の径よりも長い回転子がその長さ方向と幅方向との中央部で回転自在に支えられていて、前記回転子はその長さ方向が前記ストッパーピンの長さ方向と直交するように回転した状態にあって前記シャフトの周面に接触し、前記後方部分ではその先端に前記透孔の径を超える大きさの頭部が形成されるとともに、前記頭部と前記シャフトの周面との間にコイルばねが介在し、前記コイルばねが前記頭部を押圧して前記ストッパーピンを前記前方部分から後方部分へ向かう方向に付勢していることを特徴とする前記蝶番。
【請求項２】
前記ストッパーピンは、前記頭部を前記コイルばねによる付勢に抗して押圧すると、前記前方部分が前記透孔からさらに延出し、前記回転子が前記シャフトから離れて回転自在になる請求項１記載の蝶番。
【発明の詳細な説明】
【０００１】
【発明の属する技術分野】
この発明は、シャフトを抜脱することが可能な蝶番に関する。
【０００２】
【従来の技術】
従来、シャフト挿通用のスリーブを有する複数枚の羽根と、そのスリーブに通されたシャフトとからなる蝶番は周知である。また、スリーブに対してシャフトを繰り返し挿入・抜脱できる蝶番もよく知られている。
【０００３】
【発明が解決しようとする課題】
この発明は、シャフトの挿入・抜脱を繰り返すことができる蝶番において、その繰り返しが容易となるように改良を施すことを課題にしている。
【０００４】
【課題を解決するための手段】
前記課題解決のために、この発明が対象とするのは、シャフト用スリーブを有する複数枚の羽根と、前記複数枚の羽根のスリーブに抜脱可能に挿入されたシャフトとからなる蝶番である。
【０００５】
かかる蝶番において、この発明が特徴とするところは、次のとおりである。前記シャフトは、前記スリーブから延出する両端部に前記スリーブからの抜け止め手段を有し、前記両端部のうちの少なくとも一端部の抜け止め手段が前記シャフトを径方向において貫通する透孔と、前記透孔に抜脱可能に挿入された前記シャフトの径よりも長いストッパーピンとからなる。前記ストッパーピンは、前記透孔の一方の端部から前記シャフトの径方向外方へ延びる前方部分と、もう一方の端部から前記シャフトの径方向外方へ延びる後方部分とを有する。前記前方部分には、前記ストッパーピンを横断する長さと前記ストッパーピンの長さ方向へ延びる深さとを有する溝が形成されており、前記溝ではその深さ方向中央付近において前記溝をまたぐ支軸により前記透孔の径よりも長い回転子がその長さ方向と幅方向との中央部で回転自在に支えられている。前記回転子は、その長さ方向が前記ストッパーピンの長さ方向と直交するように回転した状態にあって前記シャフトの周面に接触し、前記後方部分ではその先端に前記透孔の径を超える大きさの頭部が形成されるとともに、前記頭部と前記シャフトの周面との間にコイルばねが介在し、前記コイルばねが前記頭部を押圧して前記ストッパーピンを前記前方部分から後方部分へ向かう方向に付勢している。
【０００６】
この発明の好ましい実施態様において、前記ストッパーピンは、前記頭部を前記コイルばねによる付勢に抗して押圧すると、前記前方部分が前記透孔からさらに延出し、前記回転子が前記シャフトから離れて回転自在になる。
【０００７】
【発明の実施の形態】
添付の図面を参照し、この発明に係る蝶番の詳細を説明すると、以下のとおりである。
【０００８】
図１に斜視図で示された蝶番１は、仮想線で示された固定枠２に取り付けられる上部羽根３と、仮想線で示された扉４に取り付けられる下部羽根６と、これらの羽根３，６に形成されたシャフト挿通用スリーブ７，８に通されたシャフト９とを有する。シャフト９は、下部羽根６のスリーブ８から下方へ延びてシャフト９の下端部を形成している延出部１１と、延出部１１の反対端にあって上部羽根３のスリーブ７の外に位置し、シャフト９の上端部を形成している頭部１２と、延出部１１と頭部１２との間に位置してスリーブ７，８に納まる中間部１３とを有する。延出部１１にはシャフト９を径方向において貫通する透孔１６が形成されており、その透孔１６にはストッパーピン１７が挿入されている。シャフト９において、ストッパーピン１７の長さはスリーブ８の径よりも大きく、また、頭部１２の径はスリーブ７の径よりも大きいから、図示のシャフト９はこれらのスリーブ７，８から抜けることがない。
【０００９】
ストッパーピン１７は、透孔１６に図の右方から挿入され、透孔１６の端部から図の左方へ延出している前方部分１８と、透孔１６のもう一方の端部から図の右方へ延出している後方部分１９と、透孔１６に納まる中間部分２１とを有する。前方部分１８では、回転子２２が透孔１６の径方向へ延びてシャフト９の周面に接触しており、後方部分１９では、この部分１９の右端に形成された頭部２４とシャフト９の周面との間で圧縮されているコイルばね２３が頭部２４を図の左方から右方へ向かって押圧している。その押圧によってストッパーピン１７は図の右方へ付勢され、回転子２２がシャフト９に圧接している。かかるストッパーピン１７は、透孔１６から抜けることがない。
【００１０】
図２は、シャフト９の部分斜視図とストッパーピン１７の斜視図である。シャフト９には径方向へ延びる透孔１６が形成されている。透孔１６から抜脱されているストッパーピン１７は、前方部分１８に溝２７を有する。溝２７はストッパーピン１７を径方向において横断する長さと、ピン１７の長さ方向ヘ延びる深さとを有する。回転子２２は、その長さ方向を溝２７の深さ方向、即ちストッパーピン１７の長さ方向に一致させて溝２７に納まっている。かかる回転子２２は、その長さ方向と幅方向との中央部において、溝２７をまたいで延びる支軸２８に双頭矢印Ａで示す軸の周り方向ヘ回転自在に支えられている。回転子２２は、長さＬが透孔１６の径よりも大きく、幅Ｗがストッパーピン１７の径と同じかそれよりも小さく作られている。コイルばね２３は、ストッパーピン１７に前方部分１８から嵌められてピン１７の頭部２４に接触している。コイルばね２３の外径と頭部２４の外径は、透孔１６の径よりも大きく作られている。
【００１１】
かようなストッパーピン１７は、図において透孔１６の右端部に挿入し、頭部２４を指で押してコイルばね２３を透孔１６の周縁部に当てて圧縮すると、前方部分１８が透孔１６の左端部から延出する。そこで、回転子２２を９０°回転させ、回転子２２の長さ方向とストッパーピン１７の長さ方向とを仮想線で示されるように直交させてストッパーピン１７から指を離せば、コイルばね２３の作用によって、回転子２２が図１の如くシャフト９に左方から圧接してストッパーピン１７が透孔１６から抜けることを防止し、ストッパーピン１７は、シャフト９が上部と下部の羽根３，６のスリーブ７，８から抜けることを防止する。
また、頭部２４を押して前方部分１８が透孔１６の左端部から延出された状態では、回転子２２は回転自在であり回転子２２の任意の側縁を使用することができるので、ストッパーピン１７の装着を容易にすることができる。
【００１２】
このように組み立てられる図１の蝶番１において、ストッパーピン１７の頭部２４を押してコイルばね２３を圧縮すると、前方部分１８が図の左方へさらに延出して回転子２２がシャフト９の周面から離れる。かかる回転子２２を９０°回転させて回転子２２の長さ方向とストッパーピン１７の長さ方向とを図２のように一致させれば、ストッパーピン１７を透孔１６から抜くことができ、続いてシャフト９をスリーブ７，８から抜くことができる。
【００１３】
この発明では、図示例のようにシャフト９の一端部のみに抜け止め手段としての透孔１６とストッパーピン１７とを設けることに代えて、シャフト９の両端部に透孔とストッパーピンとを設けることもできる。この後者の場合にはシャフト９の頭部１２が不要になる。
【００１４】
【発明の効果】
この発明に係る蝶番は、シャフトの少なくとも一端部にシャフトを径方向において貫通する透孔とその透孔に挿入・抜脱可能なストッパーピンとを有するから、蝶番の羽根に対してシャフトを挿入したり抜脱したりすることの繰り返しが容易になる。
【図面の簡単な説明】
【図１】蝶番の斜視図。
【図２】シャフトの一部分とストッパーピンの斜視図。
【符号の説明】
１      蝶番
３      羽根
６      羽根
７      スリーブ
８      スリーブ
９      シャフト
１１      端部
１６      透孔
１７      ストッパーピン
１８      前方部分
１９      後方部分
２２      回転子
２３      コイルばね
２４      頭部
２７      溝
２８      支軸
【図１】
0003735563.tif 000002
【図２】
0003735563.tif 000003